【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
本体の表面に設けられ、被測定流体の上流に向かって開口する導入口と、
前記本体の内部に、前記導入口から延伸する導入流路と、
前記導入流路から分岐して末端が前記本体の表面に開口する第１排出口に接続された分岐流路と、
前記導入流路から延伸して末端が前記本体の表面に開口する第２排出口に接続された排出流路と、
前記分岐流路または前記分岐流路からさらに分岐して末端が前記本体の表面に開口する第３排出口に接続された測定流路の中に設けたセンサ素子とを有し、
前記排出流路、前記導入流路、前記分岐流路および前記測定流路の少なくともいずれか１つの流路は、前記導入流路から前記分岐流路への分岐点における前記導入流路の流路方向および前記分岐流路の流路方向に対して直角な方向に、他の流路と重なり合う部分を有し、
前記導入流路、前記分岐流路および前記測定流路のそれぞれの流路方向に垂直な断面の面積は、前記導入流路より前記分岐流路の方が小さく、且つ、前記分岐流路より前記測定流路の方が小さいことを特徴とする流速測定装置。
【請求項２】
前記導入流路から前記分岐路への分岐点における前記分岐流路の流路方向は、前記導入口の対向する方向と直角な方向であることを特徴とする請求項１に記載の流速測定装置。
【請求項３】
前記本体は、接合面で互いに接合される２つの半体からなり、
前記重なり合う部分を有する流路は、前記半体の接合面に設けた溝に連通し、前記半体の側面の開口部から前記半体の接合面に平行に延伸し、少なくとも一部分が前記接合面に開放せず、奥部で前記溝と連通する横穴からなることを特徴とする請求項１または２に記載の流速測定装置。
【請求項４】
前記重なり合う部分を有する流路以外の流路は、前記半体の接合面に設けた溝からなることを特徴とする請求項３に記載の流速測定装置。
【請求項５】
前記横穴は、前記半体の側面の開口部において、前記接合面と反対側の表面にも開口し、該開口部の側面側がもう一方の半体に設けた壁部で封止されたことを特徴とする請求項３または４に記載の流速測定装置。
【請求項６】
前記半体の接合面にさらに設けた溝によって、前記分岐流路または前記測定流路に隣接し、前記分岐流路または前記測定流路に開口するセンサ開口を有する収納部が画定され、
前記センサ素子は、前記収納部内に前記半体の接合方向に端面を向けて収納された基板上に設けられ、前記センサ開口から前記分岐流路または前記測定流路の内側に露出することを特徴とする請求項３から５のいずれかに記載の流速測定装置。
【請求項７】
前記半体の接合面に設けた溝は、前記２つの半体の両接合面に設けた深さが不連続に変化する溝であることを特徴とする請求項６に記載の流速測定装置。
【請求項８】
前記重なり合う部分を有する流路は、前記排出流路であることを特徴とする請求項１から７のいずれかに記載の流速測定装置。
【請求項９】
前記排出流路の重なり合う部分は、前記センサが設けられた前記分岐流路または測定流路と重なり合うことを特徴とする請求項８に記載の流速測定装置。
【請求項１０】
前記導入口、前記第１排出口、第２排出口および第３排出口は、すべて前記本体の１つの端部付近に開口することを特徴とする請求項１から９のいずれかに記載の流速測定装置。
【請求項１１】
前記第１排出口、第２排出口および第３排出口は、前記本体の背面に開口する１つの排出口からなることを特徴とする請求項１０に記載の流速測定装置。
【手続補正２】
【補正対象書類名】明細書
【補正対象項目名】０００７
【補正方法】変更
【補正の内容】
【０００７】
前記課題を解決するために、本発明による流速測定装置は、本体の表面に設けられ、被測定流体の上流に向かって開口する導入口と、前記本体の内部に、前記導入口から延伸する導入流路と、前記導入流路から分岐して末端が前記本体の表面に開口する第１排出口に接続された分岐流路と、前記導入流路から延伸して末端が前記本体の表面に開口する第２排出口に接続された排出流路と、前記分岐流路または前記分岐流路からさらに分岐して末端が前記本体の表面に開口する第３排出口に接続された測定流路の中に設けたセンサ素子とを有し、前記排出流路、前記導入流路、前記分岐流路および前記測定流路の少なくともいずれか１つの流路は、前記導入流路から前記分岐流路への分岐点における前記導入流路の流路方向および前記分岐流路の流路方向に対して直角な方向に、他の流路と重なり合う部分を有し、前記導入流路、前記分岐流路および前記測定流路のそれぞれの流路方向に垂直な断面の面積は、前記導入流路より前記分岐流路の方が小さく、且つ、前記分岐流路より前記測定流路の方が小さいものとする。
【手続補正３】
【補正対象書類名】明細書
【補正対象項目名】００３２
【補正方法】変更
【補正の内容】
【００３２】
これより、本発明の実施形態について図面を参照しながら説明する。
図１および図２は、本発明の１実施形態である流速測定装置１のそれぞれ前面および背面を上にした様子を示す。図１において、流速測定装置１は、上方から下方に流れる被測定流体の中に設置される。流速測定装置１は、略直方体の本体２を有し、本体２は、被測定流体の上流側の前側半体３と、下流側の後側半体４とに２分割され、本体２内部に基板５が挟み込まれている。流速測定装置１の本体２の長手方向の一端には、前側半体３の前面に開口する導入口６が設けられ、本体２の他端には、前側半体３および後側半体４を貫通し、両面に座ぐり７を有する取付穴８が設けられている。また、流速測定装置１の本体２の取付穴８が設けられた側の端面には、基板５上に設けられたコネクタ９が露出している。さらに、導入口６が設けられた側の本体２の端部の背面には後側半体４に設けた排出口１０が開口しており、排出口１０は、本体２の側面部分が前側半体３に突設した壁部１１で封止されている。
【手続補正４】
【補正対象書類名】明細書
【補正対象項目名】００４０
【補正方法】変更
【補正の内容】
【００４０】
図７に、流速測定装置１の図６におけるＡ−Ａ断面矢視図、図８に流速測定装置１の図６におけるＢ−Ｂ断面矢視図、図９にＣ−Ｃ断面矢視図、そして、図１０にＤ−Ｄ断面矢視図を示す。図示するように、横穴２７は、部分的に、測定流路１６と本体２の厚み方向（被測定流体の流れ方向）に重なりを有している。また、導入流路１４、分岐流路１５そして測定流路１６は、順に、本体２の厚み方向に溝の深さが浅くなっており、導入流路１４から分岐流路１５への分岐には段差２５があり、分岐流路１５から測定流路１６への分岐には段差２６があることが分かる。
【手続補正５】
【補正対象書類名】明細書
【補正対象項目名】００４３
【補正方法】変更
【補正の内容】
【００４３】
測定流路１６の途中にはセンサ開口１７が設けられ、センサ素子２２が測定流路１６の内部に露出しているので、測定流路１６に流入した空気の速度はセンサ素子２２によって計測される。この測定流路１６内の空気の速度は、流速測定装置１の外部の空気の速度と相関関係があるため、センサ素子２２が計測した空気の速度から被測定流体である空気の流速が算出される。測定流路１６は、センサ開口１７で収納部１３と連通する溝として設けられているが、基板５が補助壁１９によってセンサ開口１７に強く押し当てられるので、センサ開口１７は基板５によって封止され、測定流路１６から収納部１３に空気が漏れ出すことを防いでいる。本発明によって、基板５は、センサ開口１７の僅かな当接面を封止するだけでよいので、補助壁１９のような構造で基板５をセンサ開口１７の当接面に密接させることが可能となっており、パッキンなどのシール部材が不要である。
【手続補正６】
【補正対象書類名】明細書
【補正対象項目名】００５０
【補正方法】変更
【補正の内容】
【００５０】
１  流速測定装置
２  本体
３  前側半体
４  後側半体
５  基板
６  導入口
１０  排出口
１１  壁部
１２  流路
１３  収納部
１４  導入流路
１５  分岐流路
１６  測定流路
１７  センサ開口
２２  センサ素子
２７  横穴（排出流路）
【手続補正７】
【補正対象書類名】図面
【補正対象項目名】図８
【補正方法】変更
【補正の内容】
【図８】
2006153734.tif 000001
【手続補正８】
【補正対象書類名】図面
【補正対象項目名】図９
【補正方法】変更
【補正の内容】
【図９】
2006153734.tif 000002
【手続補正９】
【補正対象書類名】図面
【補正対象項目名】図１０
【補正方法】変更
【補正の内容】
【図１０】
2006153734.tif 000003